(57)【要約】【課題】各機器を自由にレイアウト可能なＣＣＴＶ等の監視システムを提供する。【解決手段】カメラ５Ａ，５Ｂ，５Ｃ、記録装置本体１、モニター６，８、操作部７及び補助記憶装置等の周辺機器の各々を同軸ケーブル３上に接続し、且つ、同軸ケーブル３の各々をツリー状に接続することで、記録装置本体１をホスト端末とするネットワークを構成する。各端末機器は端末属性を有し、各端末機器はＩＰ通信を行うことによって対応する端末属性を記録装置本体１に送信する。記録装置本体１は、同軸ケーブル３の各々を利用して各端末機器に電源を供給すると共に、映像とは異なる帯域の周波数を有する通信信号は電源に重畳されて送信される。記録装置本体１は、ネットワーク上のモニター６，８の種類に応じて、デジタルデータ又はアナログＮＴＳＣ信号を対応モニターに送信する。【選択図】図１
2006352216.tif 000002
【特許請求の範囲】
【請求項１】
カメラ、記録装置本体、モニター及び操作部の各々を同軸ケーブル上に接続し、且つ、前記同軸ケーブルの各々をツリー状に接続して前記記録装置本体をホスト端末とするネットワークを構成したことを特徴とする、
ネットワーク型録画システム。
【請求項２】
請求項１記載のネットワーク型録画システムであって、
前記カメラ、前記モニター及び前記操作部の各端末機器は端末属性を有し、前記各端末機器はＩＰプロトコルによる通信を行うことによって対応する前記端末属性を前記記録装置本体に送信することを特徴とする、
ネットワーク型録画システム。
【請求項３】
請求項２記載のネットワーク型録画システムであって、
前記記録装置本体は、接続された端末情報をダイナミックに検出し、検出された端末機器の台数、種類に応じて制御変更可能な、
ネットワーク型録画システム。
【請求項４】
請求項３記載のネットワーク型録画システムであって、
前記記録装置本体は、ツリー状の前記同軸ケーブルの各々を利用して前記各端末機器に電源を供給すると共に、映像とは異なる帯域の周波数を有する通信信号は前記電源に重畳されて送信されることを特徴とする、
ネットワーク型録画システム。
【請求項５】
請求項４記載のネットワーク型録画システムであって、
前記記録装置本体は、ネットワーク上の前記モニターの種類に応じて、デジタルデータ又はアナログＮＴＳＣ信号を前記モニターに送信することを特徴とする、
ネットワーク型録画システム。
【請求項６】
請求項４記載のネットワーク型録画システムであって、
前記カメラは、ネットワーク上に接続されている前記モニターの種類に応じて、デジタル圧縮データのみを、又は、デジタル圧縮データ及びアナログＮＴＳＣ信号を同時に、前記記録装置本体に送信することを特徴とする、
ネットワーク型録画システム。
【発明の詳細な説明】
【技術分野】
【０００１】
本発明は、既設の同軸ケーブルを活用したデジタル方式のネットワーク型録画システムに関する。
【背景技術】
【０００２】
アナログをベースとする監視システムは、各撮影場所に設置されたカメラと、各カメラの出力映像信号を記録して各映像信号に基づき分割表示画面を合成する記録装置本体と、当該記録装置本体に設けられた操作部と、当該記録装置本体に格納された分割表示画面を表示するモニターとを、備えている。そして、記録装置本体は、ＬＡＮに接続されている。
【０００３】
【特許文献１】特開平８−２１４３８８号公報
【特許文献２】特開平９−３７１３４号公報
【発明の開示】
【発明が解決しようとする課題】
【０００４】
しかしながら、アナログをベースとする監視システムでは、各カメラと記録装置本体とを直接に同軸ケーブルで接続する必要があり、このため、カメラ台数に応じてケーブルの配線工事が必要であった。
【０００５】
しかも、アナログをベースとする監視システムでは、記録装置本体とは別の場所にモニターを設置した場合には、操作部が記録装置本体に含まれているため、操作者とモニター監視者とが別人となってしまい、操作が困難になってしまうと言う問題点があった。逆に、記録装置本体の近くにモニターを設置する場合には、記録装置本体が比較的大きなサイズを有しているため、より一層大きなスペースを確保する必要性が生じる。
【０００６】
又、ネットワークケーブルを利用し、ネットワークカメラでシステムを構築した場合には、モニター出力となるために、ネットワークケーブル以外に、映像表示用にＮＴＳＣ同軸ケーブルを記録装置本体とモニター間に増設しなければならないと言う問題点があった。
【０００７】
この発明は斯かる懸案事項に鑑み成されたものであり、自由なレイアウトが可能な、既設の同軸ケーブルを活用したデジタル方式の録画システムを提供することを、その目的としている。
【課題を解決するための手段】
【０００８】
本発明の主題に係るネットワーク型録画システムは、カメラ、記録装置、モニター及び操作部の各々を同軸ケーブル上に接続し、且つ、前記同軸ケーブルの各々をツリー状に接続して前記記録装置をホスト端末とするネットワークを構成したことを特徴とする。
【０００９】
以下、この発明の主題の様々な具体化を、添付図面を基に、その効果・利点と共に、詳述する。
【発明の効果】
【００１０】
本発明の主題によれば、既設の同軸ケーブルを活用して、記録装置本体をホスト端末とし、且つ、カメラ、モニター及び操作部がツリー状に配設されたネットワークを構築することが出来るので、各機器を自由にレイアウトする事が出来る。このため、カメラ台数に応じてケーブルの配線工事が必要となることは無く、又、モニターを監視しつつ操作することが可能となるので操作上の困難性も改善される上、システム構築に際して大きなスペースを必要とはしないと言う利点が得られる。
【発明を実施するための最良の形態】
【００１１】
（実施の形態１）
図１は、本実施の形態に係るネットワーク型録画システムの構成を模式的に示すブロック図である。
【００１２】
図１において、記録装置本体１は、一端にパーソナルコンピュータ１１が接続されたイーサネット（登録商標）に接続されていると共に、映像データや音声データの信号を記憶するＨＤＤ２を有する。そして、図１の本録画システムは、記録装置本体１をホスト端末として、分配器４，４Ａを介して、同軸ケーブル３をツリー状に接続することで、監視システムのネットワークを構築している。即ち、記録装置本体１は、一端が分配器４に接続された同軸ケーブル３の他端に接続されており、分配器４Ａは同軸ケーブル３を介して分配器４に接続され、一端が分配器４，４Ａに接続された各同軸ケーブル３の他端には、カメラ５Ａ，５Ｂ，５Ｃ、モニター６、記録装置本体１の操作部（例えばキーボードより成る）７及びフィルタ９を介在させたモニター８の各端末機器が接続されている。その他に、例えば補助記憶装置（コンパクトフラシュ等）等の周辺機器を、分配器４に接続された同軸ケーブル３の他端に接続させて、当該ネットワークの構成要素としても良い。この様に、周辺機器を含む各機器１，５Ａ，５Ｂ，５Ｃ，６，７，８が同軸ケーブル３に接続されてネットワークを構成しており、各端末機器間で通信が可能である（例えば、カメラ５Ａ，５Ｂ間の通信）。
【００１３】
本ネットワークで用いられる通信信号の周波数帯域には、映像信号の周波数帯域とは異なる帯域が利用されており、各端末機器５Ａ，５Ｂ，５Ｃ，６，７，８は、記録装置本体１との間で、ＩＰプロトコルによる通信を行う。即ち、各端末機器５Ａ，５Ｂ，５Ｃ，６，７，８は、対応する端末属性を有しており、電源投入時に、当該端末属性を記録装置本体１に送信する。この端末属性の通信により、記録装置本体１は、各端末が如何なる物であるか（例えば、或るカメラは如何なるタイプのものかと言う情報）、何台のカメラが本システムに繋がっているのか、デジタルモニターが繋がっているか、あるいは、アナログモニターもフィルタを介して繋がっているか等の、本システム上に繋がっている端末機器に関する情報を取得する。又、本発明の様なシステムには、通常少なくとも１台以上のモニターが接続されていることから、端末属性の応答でモニター（デジタル）が無い場合には、記録装置本体１は、アナログモニターがフィルタを介して同軸ケーブル３に接続されている構成であると、判断する。この様に、記録装置本体１は、同軸ケーブル３に接続されている端末情報をダイナミックに検出し、検出された端末機器の種類、台数に応じて、各端末機器を制御変更可能に制御する。
【００１４】
しかも、本システムでは、記録装置本体１から、同軸ケーブル３を利用して、各端末機器５Ａ，５Ｂ，５Ｃ，６，７（周辺機器が接続されている場合には当該周辺機器をも含めて）に、電源電圧（電力）が供給されており、通信信号は、同軸ケーブル３上を、上記電源電圧に重畳して送信される。尚、端末の中には、図１のモニター８の様に（フィルタ９は記録装置本体１からの電源を遮断する）、記録装置本体１からの電源を利用せずに、直接に電源ラインから電源供給を受けるものを接続しても良い。
【００１５】
次に、本ネットワーク型録画システムの動作に関して記述する。
【００１６】
先ず、電源投入時、各端末機器は、記録装置本体１から、個々のＩＰアドレスを取得すると共に、動作許可を記録装置本体１に要求する。動作許可を受けると、各端末機器は既述した端末属性の情報を記録装置本体１に送信する。
【００１７】
そして、各カメラ５Ａ，５Ｂ，５Ｃは、記録装置本体１からの指示に基づき、撮影により得られた指定（解像度、コマ数、画質）の圧縮映像信号を、記録装置本体１に送信する。
【００１８】
記録装置本体１は、各カメラ５Ａ，５Ｂ，５Ｃから送信されて来る圧縮符号化されたデジタル映像信号を受信して、受信映像データをＨＤＤ２に格納・保存すると共に、表示映像を伸張して、図２に例示する様な分割表示画面を合成する。例えば図２に於いては、モニター画面６Ｇは４分割されており、その分割画面領域６Ｒ１，６Ｒ２，６Ｒ３，６Ｒ４のそれぞれに、本ネットワーク内の第１カメラ、第２カメラ、第３カメラ及び第４カメラの各々によって撮影された映像を割り振り、表示する。
【００１９】
ここで、図１のモニター６がデジタル表示可能なデジタルモニターであるものとすると、分割表示画面の合成後、記録装置本体１は、合成された分割表示画面（デジタルデータ信号）を、デジタルモニター６に送信し、当該分割表示画面がデジタルモニター６に映し出される。
【００２０】
それに対して、本ネットワーク上にデジタル表示可能なモニターが存在せず（図１のデジタルモニター６が存在しないと想定する）、例えば図１のアナログモニター８のみが本システム上に接続されているものとする。このとき、本ネットワーク上にはアナログモニターしか存在しないため、記録装置本体１は、合成された分割表示画面をアナログモニター８に出力するために、ダウンスキャンコンバータ（図示せず）を経由して（解像度を例えばＶＧＡ信号からＮＴＳＣ信号に変える）、分割表示画面のアナログＮＴＳＣ信号を同軸ケーブル３に送信し、アナログモニター８に出力する。その際、映像信号の周波数帯域は既述した通り通信信号のそれとは異なるため、フィルタ９は、重畳されている電源電圧をカットし、アナログＮＴＳＣ信号の分割表示画面がアナログモニター８に映し出される。
【００２１】
この様に、記録装置本体１は、ネットワーク上のモニターの種類に応じて、デジタルデータ又はアナログＮＴＳＣ信号を当該モニターに送信する。
【００２２】
以上の通り、本実施の形態によれば、端末間でＩＰ通信が可能な、記録装置本体１をホスト端末とするネットワークが既設の同軸ケーブル（ツリー状）を用いて構築されているので、各機器を自由にレイアウト配置することが出来、既述した問題点は全て克服され得る。
【００２３】
（実施の形態２）
図３は、本実施の形態に係るネットワーク型録画システムの構成を模式的に示すブロック図である。図３に於いて、図１と同一の参照符号は同一の構成要素を示す。
【００２４】
本実施の形態に係るネットワーク型録画システムに於いても、記録装置本体１をホスト端末として同軸ケーブルをツリー状に接続することで、記録装置、カメラ、モニター、操作部及び周辺機器が各同軸ケーブルの一端に接続されたネットワークが、構築されている。
【００２５】
特に図３に於いては、フィルタ１３を具備するアナログモニター１２と、モニター画面が２分割されたデジタルモニター１４とが、それぞれに対応する同軸ケーブル３の一端に接続されていると共に、デジタル圧縮データとアナログＮＴＳＣ信号とを同一の端子（コネクタ）から同時に出力可能なデジタルＣＣ（closed circuit）ＴＶ／アナログＣＣＴＶ兼用のカメラ５Ｄと、デジタル圧縮データのみを出力可能なデジタルＣＣＴＶ用のカメラ５Ｅとが、各々、分配器４Ａに接続された同軸ケーブル３の一端に接続されている。ここで、カメラ５Ｄでは、同軸ケーブルを用いた伝送方式に於けるＯＦＤＭ変調方式を採用しており、このＯＦＤＭ変調方式によれば、デジタルデータの伝送周波数帯域は例えば１ＧＨｚ〜１．５ＧＨｚであって、アナログＮＴＳＣ方式の周波数帯域である２７ＭＨｚと比較しても明らかに高い周波数である。このため、カメラ５Ｄは、デジタル圧縮データとアナログＮＴＳＣ信号とを同一の同軸ケーブル３のライン上に重畳させることが出来る。この場合、カメラ５Ｄから送信されて来たデジタル圧縮データとアナログＮＴＳＣ信号とを受信した記録装置本体１は、周波数フィルタ等（図示せず）を用いて、両データ信号を分離し、ＨＤＤ２に保存する。
【００２６】
記録装置本体１は、分離されたアナログＮＴＳＣ信号を、同軸ケーブル３及びフィルタ１３を介して、アナログモニター１２に送信し、カメラ５Ｄが撮影したアナログ映像がアナログモニター１２に表示される。
【００２７】
他方、記録装置本体１は、カメラ５Ｅが送信して来るデジタル圧縮データをも受信して、当該データをＨＤＤ２に保存する。そして、記録装置本体１は、カメラ５Ｄより得たデジタル圧縮データとカメラ５Ｅより得たデジタル圧縮データとを伸張して２分割の分割表示画面を合成し、合成により得られたデジタル映像信号を、同軸ケーブル３を介して、デジタルモニター１４に送信する。その結果、カメラ５Ｄが撮影した映像は、デジタルモニター１４のモニター画面の第１領域Ｒ１に表示され、他方、カメラ５Ｅによって撮影された映像は、デジタルモニター１４のモニター画面の第２領域Ｒ２に表示される。
【００２８】
以上の通り、本実施の形態は、ネットワーク型録画システム内の各カメラは、ネットワーク上に接続されているモニターの種類に応じて、デジタル圧縮データのみを、又は、デジタル圧縮データ及びアナログＮＴＳＣ信号を同時に、記録装置本体１に送信することを特徴としている。従って、デジタルＣＣＴＶ／アナログＣＣＴＶ兼用のカメラ５ＤとデジタルＣＣＴＶ用のカメラ５Ｅとを含めて、各機器をネットワーク内に於いて自由にレイアウトすることが可能となる。
【００２９】
（変形例）
図４に例示する様に、撮影地に、アナログＮＴＳＣ信号を出力可能なカメラ５Ｆを設置した上で、カメラ５Ｆの電源投入と共に、カメラ５Ｆは、別の場所に配置されたアナログモニター１６に、同軸ケーブル３及びフィルタ１５を経由して、アナログＮＴＳＣ信号の映像を送信することとしても良い。
【００３０】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００３１】
本発明は、例えば警備会社等に於ける監視システムに適用可能である。
【図面の簡単な説明】
【００３２】
【図１】本発明の実施の形態１に係るネットワーク型録画システムの構成を模式的に示すブロック図である。
【図２】合成された分割表示画面を例示する図である。
【図３】本発明の実施の形態２に係るネットワーク型録画システムの構成を模式的に示すブロック図である。
【図４】本発明の変形例に係る録画システムの構成を模式的に示すブロック図である。
【符号の説明】
【００３３】
１  記録装置本体、２  ＨＤＤ、３  同軸ケーブル、４  分配器、５Ａ，５Ｂ，５Ｃ，５Ｄ，５Ｅ，５Ｆ  カメラ、６，８，１２，１４，１６  モニター、７  操作部。
【図１】
2006352216.tif 000003
【図２】
2006352216.tif 000004
【図３】
2006352216.tif 000005
【図４】
2006352216.tif 000006